(57)【特許請求の範囲】
【請求項１】
前側壁の下部にコンクリート圧送用シリンダと連通する２つの吸入吐出口を左右方向に並べて設けたホッパ内に、Ｓ字状に屈曲形成した揺動管を収納させ、該揺動管の後端部をホッパの後側壁に回動自在に貫通支持させて、前端が左右へ揺動して上記２つの吸入吐出口に交互に一致するようにしてあるコンクリートポンプにおいて、上向きに開口する入口と前向きに開口する出口とを有し且つ出口側端部にフランジを張り出させたエルボ形状のガイドパイプを、上記吸入吐出口と一致する内径として構成し、更に、上記ガイドパイプを下側から受けるようにする管受部を設けた支持アームを、上記揺動管の前端部一側に、上記管受部が吸入吐出口の位置と対応するように横向きに張り出させて固設し、該支持アームに、上記ガイドパイプのフランジを前後方向からボルトで着脱可能に取り付けるようにしてなることを特徴とするコンクリートポンプ。
【請求項２】
支持アームへのガイドパイプの取り付けを、ボルトで行うことに代えて、支持アームの管受部上面に周方向に沿うように設けた固定用溝にガイドパイプのフランジを落し込み式に嵌入させて行うようにする請求項１記載のコンクリートポンプ。
【請求項３】
支持アームへのガイドパイプの取り付けをボルトで行うことに代えて、支持アームにガイドパイプをピンで着脱可能に取り付けるようにした請求項１記載のコンクリートポンプ。
【請求項４】
支持アームに代えて、張り出し長さの短い支持ブラケットを揺動管の前端部一側に固設し、該支持ブラケットにガイドパイプをピンで着脱可能に取り付けるようにした請求項３記載のコンクリートポンプ。
【発明の詳細な説明】
【０００１】
【発明の属する技術分野】
本発明はホッパ内のコンクリートを吸入して吐出させる揺動弁形式のコンクリートポンプに関するものである。
【０００２】
【従来の技術】
吸入吐出弁を揺動弁形式とした従来のコンクリートポンプは、図８及び図９に示す如く、ホッパ１の前側壁１ａの下部に２つの吸入吐出口２を左右方向に並べて設け、ホッパ１の外部には、上記２つの吸入吐出口２に各々連通する２本のコンクリート圧送用シリンダ３と４を平行に設置し、該各コンクリート圧送用シリンダ３，４内に収納したコンクリート圧送用ピストン５を、上記コンクリート圧送用シリンダ３，４に洗浄室６を介して接続した主油圧シリンダ７，８内の主油圧ピストン９に各１本のロッド１０を介して一体的に連結し、主油圧シリンダ７，８内の主油圧ピストン９を交互に前進後退させることによってコンクリート圧送用ピストン５を交互に前進後退させるようにしてある。
【０００３】
又、上記ホッパ１内には、Ｓ字状に屈曲させた揺動管１１を収納位置させ、該揺動管１１の前端にはバルブリング１２を取り付けて、バルブリング１２がホッパ１の前側壁１ａの内面に取り付けたバルブプレート１３に沿い摺動して上記２つの吸入吐出口２に交互に一致できるようにすると共に、上記揺動管１１の後端部をホッパ１の後側壁１ｂを貫通させてコンクリート輸送管２０に接続させ、且つ上記揺動管１１の後端部の揺動軸心に合わせて該揺動管１１の途中に固定した連結軸１７をホッパ１の外部に設置した２本の揺動シリンダ１４，１５に操作レバー１６を介して連結し、操作レバー１６を左右に傾動させることにより揺動管１１を連結軸１７を中心に左右方向に揺動できるようにしてある。
【０００４】
なお、図９において、１８はコンクリート１９を攪拌しながら下方へ流動させるようにするための攪拌羽根を示す。
【０００５】
上記揺動弁形コンクリートポンプでは、コンクリート１９の圧送作業が終了すると、揺動管１１内やコンクリート輸送管２０内に残留しているコンクリート１９の除去処理を行う必要がある。
【０００６】
上記揺動管１１内及びコンクリート輸送管２０内のコンクリート１９を除去処理するために、自力洗浄を行う場合、従来では、一方のコンクリート圧送用シリンダ３又は４内に、ホッパ１の吸入吐出口２を通してクリーナスポンジ２１を押し入れ、このクリーナスポンジ２１を揺動管１１内に移した後、コンクリート圧送作業の場合と同様に、揺動管１１を２つの吸入吐出口２に交互に一致させるように揺動させると共に、コンクリート圧送用ピストン５を交互に前進後退させることにより、洗浄水でクリーナスポンジ２１を揺動管１１内及びコンクリート輸送管２０内を移動させることにより、揺動管１１及びコンクリート輸送管２０の内部を清掃させるようにしている。
【０００７】
かかる自力洗浄作業では、洗浄の準備段階でコンクリート圧送用シリンダ３又は４内に押し入れたクリーナスポンジ２１は、コンクリート圧送用ピストン５の前進動作で揺動管１１内に移動させるようにするが、この際、コンクリート圧送用ピストン５が前進側ストロークエンドに達しても、クリーナスポンジ２１は、全体が揺動管１１内に入り込んでおらず、後側の一部はホッパ１の吸入吐出口２の部分に位置しており、その状態で揺動管１１を揺動させると、クリーナスポンジ２１が切損してしまうことがあるので、コンクリート圧送用ピストン５の前進動作でクリーナスポンジ２１を全体的に揺動管１１内に移し入れることができるようにするために、図８に示す如く、これまでは、コンクリート圧送用シリンダ３又は４内のコンクリート圧送用ピストン５とクリーナスポンジ２１との間に所要量のコンクリート１９を充填させるようにしている。
【０００８】
【発明が解決しようとする課題】
ところが、コンクリート圧送用シリンダ３又は４内にコンクリート１９を充填する作業は、ホッパ１の吸入吐出口２を通してコンクリート１９を手作業で押し込まなければならないだけでなく、コンクリート１９を押し込んでも逆流により吸入吐出口２から流出し易いので、充分な量を充填させるのが困難であった。
【０００９】
そこで、本発明は、自力洗浄を行う準備段階でコンクリート圧送用シリンダ内にコンクリートを容易且つ確実に充填することができるようにしようとするものである。
【００１０】
【課題を解決するための手段】
本発明は、上記課題を解決するために、前側壁の下部にコンクリート圧送用シリンダと連通する２つの吸入吐出口を左右方向に並べて設けたホッパ内に、Ｓ字状に屈曲形成した揺動管を収納させ、該揺動管の後端部をホッパの後側壁に回動自在に貫通支持させて、前端が左右へ揺動して上記２つの吸入吐出口に交互に一致するようにしてあるコンクリートポンプにおいて、上向きに開口する入口と前向きに開口する出口とを有し且つ出口側端部にフランジを張り出させたエルボ形状のガイドパイプを、上記吸入吐出口と一致する内径として構成し、更に、上記ガイドパイプを下側から受けるようにする管受部を設けた支持アームを、上記揺動管の前端部一側に、上記管受部が吸入吐出口の位置と対応するように横向きに張り出させて固設し、該支持アームに、上記ガイドパイプのフランジを前後方向からボルトで着脱可能に取り付けるようにしてなる構成とする。
【００１１】
コンクリート圧送作業が終了した後、自力洗浄を行う場合に、先ず、揺動管の揺動位置を調整して支持アームの管受部の位置を一方の吸入吐出口に対応させた後、ガイドパイプの前端部を管受部に載せて、支持アームにガイドパイプのフランジをボルトで固定する。次に、ガイドパイプが位置する側のコンクリート圧送用シリンダのピストンを所要量後退させた状態において、ガイドパイプを通してコンクリート圧送用シリンダ内にコンクリートを所要量注入し、更に、ガイドパイプを通してコンクリート圧送用シリンダ内にクリーナスポンジを押し込むようにする。これにより、コンクリート圧送用シリンダ内のピストンとクリーナスポンジとの間にコンクリートが充填される。
【００１２】
又、支持アームへのガイドパイプの取り付けをボルトで行うことに代えて、支持アームの管受部上面に周方向に沿うように設けた固定用溝にガイドパイプのフランジを落し込み式に嵌入させて行うようにする構成とすることによって、ガイドパイプのフランジを支持アームの管受部に有する固定用溝に嵌入支持させることができるので、ガイドパイプの着脱作業をワンタッチで行うことができるようになる。
【００１３】
更に、支持アームへのガイドパイプの取り付けをボルトで行うことに代えて、支持アームにガイドパイプをピンで着脱可能に取り付けるようにした構成とすることにより、構造の簡略化を図ることができると共に、ガイドパイプの着脱作業を容易に行うことができるようになる。
【００１４】
更に又、支持アームに代えて、張り出し長さの短い支持ブラケットを揺動管の前端部一側に固設し、該支持ブラケットにガイドパイプをピンで着脱可能に取り付けるようにした構成とすることにより、軽量化を図ることができるようになる。
【００１５】
【発明の実施の形態】
以下、本発明の実施の形態を図面を参照して説明する。
【００１６】
図１乃至図３は本発明の実施の一形態を示すもので、図８及び図９に示した揺動弁形コンクリートポンプにおいて、洗浄準備段階で、いずれかの吸入吐出口２を通してコンクリート圧送用シリンダ３又は４内にコンクリート１９を注入させるようにするために用いるガイドパイプ２２を構成し、且つ該ガイドパイプ２２を吸入吐出口２の位置に合わせて支持できるようにするための支持アーム２３を、揺動管１１の前端部一側に固設した構成とする。
【００１７】
詳述すると、上記ガイドパイプ２２は、吸入吐出口２と一致する内径を有し、入口２２ａとなる一端を上向きに、又、出口２２ｂとなる他端を前向きにそれぞれ開口させたエルボ形状とし、且つ出口２２ｂ側端部外周にフランジ２４を取り付けた構成としてある。
【００１８】
又、上記支持アーム２３は、先端部に、上記ガイドパイプ２２の出口２２ｂ側端部を下から受けるようにするための半円弧状の管受部２５を有し、揺動管１１が一方の吸入吐出口２に一致させられたときに該管受部２５が他方の吸入吐出口２の位置と対応するように揺動管１１の前端部に横向きに張り出させて固設した構成とし、上記ガイドパイプ２２のフランジ２４を管受部２５の後面部側に重ね合わせてボルト２６により固定できるようにし、これによりガイドパイプ２２の出口２２ｂが吸入吐出口２と一致して連通させられるようにしてある。
【００１９】
コンクリート１９の圧送作業が終了した後に揺動管１１及びコンクリート輸送管２０の自力洗浄を行う場合には、先ず、揺動管１１の揺動操作により支持アーム２３を一体に揺動変位させて、管受部２５を一方の吸入吐出口２の位置に合わせる。次に、ガイドパイプ２２の出口２２ｂ側端部を支持アーム２３の管受部２５上に載せて、フランジ２４を支持アーム２３の後面部側に重ね合わせた後、フランジ２４を支持アーム２３にボルト２６で取り付けて、ガイドパイプ２２の位置を固定セットする。
【００２０】
上記により、ガイドパイプ２２の出口２２ｂが吸入吐出口２を介して一方のコンクリート圧送用シリンダ３（又は４）と連通させられるので、上記コンクリート圧送用シリンダ３のピストン５を前進側ストロークエンドよりもやや後退させておいた状態において、ガイドパイプ２２の入口２２ａよりガイドパイプ２２及び吸入吐出口２を通してコンクリート圧送用シリンダ３内に所要量のコンクリート１９を注入させるようにする。この際、ガイドパイプ２２はエルボ形状としてあることから、注入したコンクリート１９が容易に流出することはなく、充分な量を注入することができる。しかる後、ガイドパイプ２２内に滞留しているコンクリート１９をコンクリート圧送用シリンダ３内に押しやるように、ガイドパイプ２２の入口２２ａよりクリーナスポンジ２１を挿入して、該クリーナスポンジ２１をコンクリート圧送用シリンダ３の前進側ストロークエンド位置まで押し込むようにする。これにより、コンクリート圧送用シリンダ３内のピストン５とクリーナスポンジ２１との間にコンクリート１９が確実に充填された状態となる。
【００２１】
上記のようにして、洗浄準備が整うと、上記支持アーム２３にガイドパイプ２２のフランジ２４を止めているボルト２６を取り外すことにより、ガイドパイプ２２を撤去してから、従来の場合と同様に、クリーナスポンジ２１が押し込まれているコンクリート圧送用シリンダ３側の吸入吐出口２に揺動管１１を揺動変位させた後、コンクリート圧送用シリンダ３のピストン５を前進させてクリーナスポンジ２１を揺動管１１内に移動させ、以後は、揺動管１１の揺動運動とコンクリート圧送用シリンダ３，４の交互の前進後退運動により、洗浄水を揺動管１１内に送り込み、クリーナスポンジ２１の移動によって揺動管１１及びコンクリート輸送管２０の内部を清掃する。
【００２２】
次に、図４は本発明の他の実施の形態を示すもので、上記の実施の形態と同様な構成において、支持アーム２３にガイドパイプ２２のフランジ２４をボルト２６で固定できるようにすることに代えて、支持アーム２３の管受部２５の上面部に周方向に沿う半円弧状の固定用溝２７を設け、該固定用溝２７にガイドパイプ２２のフランジ２４を上方より落し込み式に嵌入させて支持させるようにしたものである。
【００２３】
図４に示すようにすると、ガイドパイプ２２の着脱をワンタッチ操作で簡単に行うことができる。
【００２４】
なお、図１乃至図３の実施の形態では、ガイドパイプ２２のフランジ２４を支持アーム２３の後面部側に重ね合わせるようにした場合を示したが、前面部側に重ね合わせるように寸法を設定してもよい。
【００２５】
次いで、図５は本発明の更に他の実施の形態を示すもので、図１乃至図３に示したものと同様な構成において、支持アーム２３の管受部２５を挟む左右位置に左右方向の長孔２８をそれぞれ設け、且つガイドパイプ２２には、上記長孔２８に対応する左右部のみに部分的なフランジ２９を張り出させ、ガイドパイプ２２のフランジ２９を、支持アーム２３の長孔２８に対しピン３０にて着脱可能に取り付けるようにしたものである。
【００２６】
図５に示すようにすると、図１乃至図３に示す実施の形態の如きボルト２６の締め込み操作を不要とすることができると共に、図４に示す如く支持アーム２３の構造を複雑化することなく、ガイドパイプ２２の取り付け、取り外しを容易に行うことができる。
【００２７】
更に、図６は本発明の更に別の実施の形態を示すもので、図５に示したと同様な構成において、揺動管１１の先端部一側に、管受部２５を有する支持アーム２３を張り出させることに代えて、揺動管１１の先端部一側に張り出し長さの短い支持ブラケット３１を固設し、且つガイドパイプ２２には、上記支持ブラケット３１と対応する部分的のみにフランジ２９を固設し、揺動管１１の支持ブラケット３１にガイドパイプ２２のフランジ２９を少なくとも上下２本の丸ピン３２にて着脱可能に取り付けるようにしたものである。
【００２８】
又、図７は図６の変形例を示すもので、ガイドパイプ１１の支持ブラケット３１にガイドパイプのフランジ２９を、１本（又は複数本）の角ピン３３により着脱可能に取り付けるようにしたものである。
【００２９】
図６や図７に示すように構成すると、図５の場合と同様にガイドパイプ２２の取り付け、取り外しを容易に行うことができる他、支持アーム２３に比して支持ブラケット３１が小型であることから、軽量化を図ることができる。
【００３０】
【発明の効果】
以上述べた如く、本発明によれば、次の如き優れた効果を発揮する。
(1) 揺動弁形の前側壁の下部にコンクリート圧送用シリンダと連通する２つの吸入吐出口を左右方向に並べて設けたホッパ内に、Ｓ字状に屈曲形成した揺動管を収納させ、該揺動管の後端部をホッパの後側壁に回動自在に貫通支持させて、前端が左右へ揺動して上記２つの吸入吐出口に交互に一致するようにしてあるコンクリートポンプにおいて、上向きに開口する入口と前向きに開口する出口とを有し且つ出口側端部にフランジを張り出させたエルボ形状のガイドパイプを、上記吸入吐出口と一致する内径として構成し、更に、上記ガイドパイプを下側から受けるようにする管受部を設けた支持アームを、上記揺動管の前端部一側に、上記管受部が吸入吐出口の位置と対応するように横向きに張り出させて固設し、該支持アームに、上記ガイドパイプのフランジを前後方向からボルトで着脱可能に取り付けるようにしてなる構成としてあるので、コンクリート圧送作業終了後に行う自力洗浄の準備段階で、一方の吸入吐出口に対応させて位置させた支持アームにエルボ形状のガイドパイプをボルトで取り付けてセットすることができ、このガイドパイプを通してコンクリート圧送用シリンダ内にコンクリートを注入することにより、吸入吐出口からのコンクリートの流出を防ぐことができて、充分な量のコンクリートを注入することができ、更に、上記ガイドパイプを通してコンクリート圧送用シリンダ内にクリーナスポンジを押し込むことにより、コンクリートシリンダ内のピストンとクリーナスポンジとの間にコンクリートを確実に充填することができる。
(2) 支持アームへのガイドパイプの取り付けを、ボルトで行うことに代えて、支持アームの管受部上面に周方向に沿うように設けた固定用溝にガイドパイプのフランジを落し込み式に嵌入させて行うようにする構成とすることによって、ガイドパイプの着脱作業をより簡単に行うことができる。
(3) 支持アームへのガイドパイプの取り付けをボルトで行うことに代えて、支持アームにガイドパイプをピンで着脱可能に取り付けるようにした構成とすることにより、簡単な構造でガイドパイプの着脱作業を容易に行うことができる。
(4) 支持アームに代えて、張り出し長さの短い支持ブラケットを揺動管の前端部一側に固設し、該支持ブラケットにガイドパイプをピンで着脱可能に取り付けるようにした構成とすることにより、軽量化を図ることができる。
【図面の簡単な説明】
【図１】本発明のコンクリートポンプの実施の一形態を示す概略切断側面図である。
【図２】図１のＡ−Ａ方向矢視図である。
【図３】揺動管に固設した支持アームとガイドパイプとの関係を示す要部の斜視図である。
【図４】本発明の他の実施の形態を示すもので、図３と対応する要部の斜視図である。
【図５】本発明の更に他の実施の形態を示す部分図である。
【図６】本発明の更に別の実施の形態を示す部分図である。
【図７】図６の変形例を示す部分図である。
【図８】揺動弁形コンクリートポンプの一例を示す概略切断側面図である。
【図９】図８のＢ−Ｂ方向矢視図である。
【符号の説明】
１  ホッパ
１ａ  前側壁
１ｂ  後側壁
２  吸入吐出口
３，４  コンクリート圧送用シリンダ
１１  揺動管
２０  コンクリート輸送管
２２  ガイドパイプ
２２ａ  入口
２２ｂ  出口
２３  支持アーム
２４  フランジ
２５  管受部
２６  ボルト
２７  固定用溝
２９  フランジ
３０  ピン
３１  支持ブラケット
３２  ピン（丸ピン）
３３  ピン（角ピン）
【図１】
0003887735.tif 000002
【図２】
0003887735.tif 000003
【図３】
0003887735.tif 000004
【図４】
0003887735.tif 000005
【図５】
0003887735.tif 000006
【図６】
0003887735.tif 000007
【図７】
0003887735.tif 000008
【図８】
0003887735.tif 000009
【図９】
0003887735.tif 000010